(57)【要約】      （修正有）【課題】インターネットで集会開催を支援する。【解決手段】貸し会議室機関はインターネット４を通じて集会管理代行機関が設置したサーバー５上に開設したホームページにアクセスし、会議室の情報をサーバー５上の会議室情報データベース６に登録する。また集会開催者は、同じくホームページにアクセスし、会議室情報から、場所、日時、定員、設備、空き状況を考慮して、集会情報データベースに集会開催情報を登録する。さらに参加希望者は、ホームページにアクセスし、集会情報データベースを検索し参加希望する集会に対して、個人の情報を参加者情報データベース８に登録することで参加の意思を伝える。一方、集会開催者が貸し会議室機関に支払う会議室料金、および参加者が集会開催者に支払う参加料金は、クレジット決済システム９を介してクレジット決済することができる。【選択図】図１
2011008747.tif 000002
【特許請求の範囲】
【請求項１】
貸し会議室機関の入出力端末と、集会開催者の入出力端末と、集会参加希望者の入出力端末が、インターネットを介して、集会開催代行機関の管理サイトと接続されているシステムであって、前記管理サイト上に集会開催代行機関が開設したホームページで、貸し会議室機関は貸し会議室情報を公開し、集会開催者は前記会議室の予約を行うと共に開催集会情報を公開し、集会参加希望者は前記開催集会への参加予約を行う集会開催支援システム。
【請求項２】
集会開催者が集会開催代行機関の管理サイトのホームページを介して、貸し会議室使用料金の支払い、自らが主催した集会に参加を希望する者の連絡先情報の入手、並びに集会終了後の参加者および貸し会議室機関からの感想およびアンケート結果の入手ができることを特徴とする請求項１に記載の集会開催支援システム。
【請求項３】
集会参加希望者が集会開催代行機関の管理サイトのホームページを介して、集会参加費の支払い、集会開催者に対しての事前の要望の伝達、集会開催者からの事前アンケートの受け取りと回答、並びに受講後の集会開催者への感想の伝達および参加後アンケートへの回答ができることを特徴とする請求項１または２に記載の集会開催支援システム。
【請求項４】
貸し会議室機関、集会開催者および集会参加者が感想およびアンケートを集会開催代行機関の管理サイトのホームページに入力するにあたっては、集会開催代行機関が発行するキーワードの入力を必要とすることを特徴とする請求項１ないし３に記載の集会開催支援システム。
【請求項５】
集会開催代行機関の管理サイトのホームページを介して入力された集会参加者の参加後アンケートに記載された集会に関する回答結果ならびに回答を統計処理した結果を集会情報と共に前記ホームページ上に公開したことを特徴とする請求項１ないし４に記載の集会開催支援システム。
【請求項６】
集会開催代行機関の管理サイトのホームページで、開催された集会の履歴一覧から特定の集会を選択して開催依頼メールを送信できると共に、依頼メールの送信積算数が表示されることを特徴とする請求項１ないし３に記載の集会開催支援システム。
【請求項７】
集会開催代行機関の管理サイトで、集会参加希望者がホームページを介して所定の質問に答えることによって、もしくは電子メールもしくは電話またはＦＡＸで所定の相談担当者に問い合わせすることによって参加すべき集会を参照できることを特徴とする請求項１ないし３に記載の集会開催支援システム。
【発明の詳細な説明】
【技術分野】
【０００１】  本発明は、集会開催者がセミナー、研修、講演会、勉強会、会議などの集会を効率的に企画開催することができ、貸し会議室の提供者が会議室の稼働率を向上させると共に予約管理コストを低減させることができ、さらに集会参加希望者が容易に集会の開催情報を入手し参加申し込みができる集会開催支援システムに関する。
【背景技術】
【０００２】  従来、貸し会議室の提供機関は自治体から営利企業まで大小様々存在し、その場所も間取りも多種にわたり、予約方法も電話、ＦＡＸ、メール、対面など、それぞれ提供機関独自のシステムが存在しているため、集会開催者が研修、セミナー、勉強会などを開催しようとした場合、会議室の確保に多大な労力を要していた。【０００３】  また、不特定多数の聴衆を対象に集会の案内を行う場合、チラシなど紙媒体を用いることが一般的であるが、その印刷及び配布には多大な時間と経費がかかっていた。電子メールの普及により、配布時間および経費を削減することは可能であるが、昨今の個人情報保護意識の拡大により、不特定多数のメールアドレスの入手が困難になっていた。【０００４】  一方、会議室の提供機関も、貸し会議室情報の宣伝手段としてはチラシ、ダイレクトメール、ホームページなどが用いられ、また予約の受付にあたっては、電子メール、電話、ＦＡＸ、対面などが一般的であるため、宣伝のための経費、並びに予約受付管理のための人件費の負担が大きかった。【０００５】  さらに、集会への参加希望者は、自分の望む集会が開催されていることを知る手段は、新聞、ミニコミ紙、テレビ、ラジオなどのマスコミ、並びにダイレクトメール、公共機関等で配布されるチラシなどが中心であるため開催情報を見逃してしまうことも多く、たとえ必要な集会が見つかったとしても、その内容、評価、参加者がわからないため、参加に見合う効果を見極め、判断することが困難であった。【０００６】  このような状況を解決するために、インターネットを活用したシステム化が考えられる。例えば、借主と貸主といった二者間を仲介する予約管理代行サイトとしては、ホテルの予約サイトなどが一般的に利用されており、登録機能、検索機能、予約機能などは本発明と共通する部分もあるが、貸し会議室機関、集会開催者および集会参加者といった三者間を仲介し、会議室の予約と共に、集会の開催案内および参加者管理までを提供しているシステムは存在しなかった。
【発明の開示】
【発明が解決しようとする課題】
【０００７】  上述のように、現在のシステムでは、集会開催者、貸し会議室機関、集会参加者のそれぞれが、非効率的な作業を強いられることになり、空き会議室の有効利用、集会の開催、参加すべき集会の検索に困難をきたしていた。
【課題を解決するための手段】
【０００８】  前述の課題は、請求項１に記載したように、集会開催者、貸し会議室機関、集会参加希望者のそれぞれが、互いにデータを集会開催代行機関の管理サイト上で共有することによって解決できる。【０００９】  貸し会議室機関は、パソコンまたは携帯電話などの端末から、提供可能な会議室の場所、間取り、備品、使用可能時間帯、料金、決済方法ならびに特記事項を、前述の管理サイト上に構築されたホームページの入力フォームを介して入力する。このデータは、管理サイトのデータベースに登録され、前記ホームページの別フォームで予約可能な状態として公開される。また、前記ホームページを通じて、貸し会議室機関自らが登録した会議室の情報を確認並びに修正ができると共に、予約状況を知ることができる。さらに、予約時に、予約者がクレジットカード決済を望んだ場合は、開催代行機関が提携するクレジット決済システムを通じて、使用料金があらかじめ登録した銀行口座に振り込まれる。このため貸し会議室機関は、予約管理及び入金管理のための人件費の軽減が可能になると共に、前記ホームページを通じて予約を受け付けることにより顧客数が増加し、会議室の稼働率を高めることができる。【００１０】  集会開催者は、各自のパソコンまたは携帯電話などの端末から前記ホームページにアクセスし、貸し会議室機関が登録した会議室情報を参照し、日時、場所、間取り、料金、備品等を考慮して会議室を選択する。その上で、集会名称、開催目的、概要、内容、講師名、対象となる参加者などの情報を追加して集会開催案内情報を入力する。集会開催案内は、前記ホームページ上で公開することができるが、社内会議のように特定の参加者のみを対象とする場合は、公開せず、対象となる参加者に、ホームページ上のメール機能を用いて参加依頼メールを送信することも可能である。さらに、参加にあたって事前アンケートを必要とする場合は、参加予約を行った者に対してアンケートをメールで自動送信することもできる。【００１１】  参加予約を行った者の承諾が得られた場合は、参加予約を行った者を集会開催案内情報に含めて公開することもできる。参加を検討している者は、この参加予定メンバーリストを自らの参加の判断のために活用できる。この際、集会ごとに前記参加予定メンバーリストを参照するためのアクセス権を、特定の個人もしくはグループに対して集会開催者が事前に設定することもでき、個人情報の不要な流出を防止できる。【００１２】  また、自己啓発や情報収集のために、セミナー、研修、勉強会等集会への参加を希望する人は、各自のパソコンまたは携帯電話などの端末から前記ホームページにアクセスし、自分に必要な集会を、場所、日時、講師名、キーワード、技術分野等により検索し、参加することができる。【００１３】  自分が参加すべき集会の検索にあたっては、前記ホームページに用意された所定の質問に回答することによって、絞り込むこともできると共に、所定の相談担当者に電子メール、電話もしくはＦＡＸなどで相談することによって選択することもできる。また、集会開催者に対して、あらかじめ集会に対する事前の要望などのコメントを送信することもできる。【００１４】  一方、自分に必要な集会が開催されていない���合は、過去の集会履歴情報を確認し、その集会開催者と講師に対して、開催希望をメールで送信することもできる。この開催希望は積算された上で公開されるので、集会開催者は、これを開催の判断の基準とすることができる。また、参加希望者は、その集会の人気度を開催希望数で判断することもできる。【００１５】  さらに、集会終了後に、集会開催者は、各自のパソコンまたは携帯電話などの端末から前記ホームページにアクセスし、受講後の感想およびアンケートの入力を依頼する電子メールを参加者に対して送信する。受講者は各自のパソコンまたは携帯電話などの端末から前記ホームページにアクセスし、感想およびアンケート結果を入力する。この感想およびアンケート結果は、集会情報とリンクされてデータベースに保存され、当該集会の評価結果として次回の開催時には参加希望者の受講判断のひとつの基準として用いられる。また集会開催者は、この感想およびアンケート結果に対して、電子メールで返答することができる。このコメントも前記データベースに保存される。【００１６】  一方、集会終了後に、貸し会議室機関は、各自のパソコンまたは携帯電話などの端末から前記ホームページにアクセスし、会議室の使用についての感想およびアンケートの入力を依頼する電子メールを集会開催者に対して送信する。集会開催者は各自のパソコンまたは携帯電話などの端末から前記ホームページにアクセスし、感想およびアンケート結果を入力する。この感想およびアンケート結果は、会議室情報とリンクされてデータベースに保存され、当該会議室に対する評価結果となり、集会開催者の会議室選択にあたっての判断基準として用いられる。また貸し会議室機関は、この感想およびアンケート結果に対して、電子メールで返答することができる。このコメントも前記データベースに保存される。逆に、貸し会議室機関は、集会開催者に対して前記ホームページを介して会議室を使用いただいた結果についての感想やアンケートを送付することもでき、これも前記管理サイトのデータベースに保存される。【００１７】  感想およびアンケートの結果を入力するにあたっては、キーワードを入力することが求められる。キーワードは集会開催代行機関が発行管理し、会議室もしくは集会への予約実行後に予約者に対して送信される確認メールに記載されている。これによって本当の会議室の使用者および集会の参加者であることを確認することで、不正な情報の登録を防止している。【００１８】  本発明のシステムは、会議室での集会だけでなく、厨房施設を会議室の代わりに用いることで料理教室やホームパーティーの開催にも適用できるし、防音施設を会議室の代わりに用いることで、合唱、バンドなど音楽関係の練習、教室、ならびにカラオケパーティーに適用することもできる。また、集会として、託児活動や介護活動を対象とすることで、子供や介護の必要な人を一時的に預かることや、さらには、ペットの一時預かりなどにも活用することができる。【００１９】  これにより、集会開催者は良質の会議室を容易に選択でき、多数の受講候補者に開催案内を提供することができ、貸し会議室機関は、低い運営コストで、会議室の稼働率を高めることができ、集会への参加希望者は、自分の求める集会情報を簡単に収集し、良質の集会への参加が可能となる。
【発明の効果】
【００２０】  前記のとおり、本発明の集会開催支援システムを用いることにより、集会開催者は過去の利用者の評価結果などの情報をもとに良質の会議室を容易に選択でき、不特定多数の受講候補者に開催案内を提供することができると共に、受講者からの評価をもとに集会の品質を向上させることができる。また、受講料の徴収を集会開催代行機関に代行させることで、事務管理コストを軽減することができる。一方、開催を予定していない集会に対しての要望を集めることが可能であるため、集会開催者にとっては参加者数を事前に予測でき、効率的に集会を開催することができる。【００２１】  また、貸し会議室機関は、予約管理作業および賃貸料金の徴収作業を集会開催代行機関に代行させることで、運営コストを低減させると共に、会議室情報をホームページに公開することで不特定多数に宣伝できるため会議室の稼働率を高めることができ、利益向上を図れる。さらに、日常的な事業としての会議室賃貸を行っていない会社であっても、このシステムに参加することにより、使用率の低い社内会議室を社外に容易に貸し出すことができ、遊休設備の有効活用が図られる。【００２２】  さらに、集会への参加希望者は、自分の求める集会を多くの集会情報の中から簡単に収集できることから、良質な集会への参加が可能となる。また、社内に会議室を持たない会社にとっては、社内会議の開催システムとして本発明を用いることも可能であり、会議開催にかかる運営コストの低減を図ることができる。【００２３】  集会の参加情報の収集にあたっては、インターネットなどでの検索に不慣れな利用者にとっては電話やＦＡＸでの問い合わせができることは利便性を高めることになる。また、どの参加すべき集会の分野が明確に定まっていない利用者に対しては、「はい」「いいえ」で回答することで自分の関心に適合する集会を検索できる仕組みを用いることにより、自分の関心の発見と合わせて最適の集会を見つけ出すことができる。【００２４】  最適の集会が見当たらない場合、参加希望者は過去に開催された集会を検索し、再開催を講師および集会開催者に求めるメールを、所定事項をホームページ上から入力することにより送信することにより、開催を促すことができる。【００２５】  また、参加希望集会の選択にあたっては、同じ集会が過去開催された時のアンケート結果が集会情報の一部として登録されているので、それを参考にすることができる。【００２６】  一方、厨房設備を有する施設を会議室の代わりに用いて、本予約管理システムを適用することで料理教室やホームパーティーの開催が可能となる。通常の料理教室では、受講者同士で飲食するだけであることが多いが、厨房付きの個室を用いることで、調理と飲食を共に楽しむホームパーティーを開催することもできる。【００２７】  防音施設を会議室の代わりに用いることで、合唱、バンドなど音楽関係の練習、教室、ならびにカラオケパーティーに適用することもできる。建設コストの高い防音室は特に稼働率を高める必要があるため、本システムの活用で需要を見込んだ投資ができ、利益率を高められると共に、利用者にとっても、低料金で利用できるようになる。【００２８】  また、集会として、託児活動や介護活動を対象とすることで、子供や介護の必要な人を一時的に預かることや、さらには、ペットの一時預かりなどにも活用することができる。これらを通常の集会と組み合わせ、近接した会場で行うことにより、子供、要介護者、ペットを抱えて従来は集会に参加できなかった人々の参加を促進できる。
【発明を実施するための最良の形態】
【００２９】  以下、実施の形態により、この発明を図１に示す。貸し会議室機関はパソコン１ａまたは携帯電話１ｂを端末として、インターネット４を通じて集会管理代行機関が設置したサーバー５上に開設したホームページにアクセスし、会議室の情報をサーバー５上の会議室情報データベース６に登録する。集会開催者は、パソコン２ａまたは携帯電話２ｂを端末として、同じくホームページにアクセスし、会議室情報から、場所、日時、定員、設備、空き状況を考慮して、集会情報データベース７に集会開催情報を登録する。さらに参加希望者は、パソコン３ａまたは携帯電話３ｂを端末として、同じくホームページにアクセスし、集会情報データベース７を確認し、そこから参加希望する集会に対して、個人の情報を参加者情報データベース８に登録することで参加の意思を伝える。集会開催者が貸し会議室機関に支払う会議室料金、および参加者が集会開催者に支払う参加料金は、クレジット決済システム９を介してクレジット決済することができる。以上の動作を、集会管理代行機関が設置したサーバー５上に開設したホームページの実施形態により、さらに詳細に説明する。ホームページおよびサブフォームの関係を図２に示す。【００３０】  当該システムにて各種登録を行うには、まず新規会員登録が必要である。これは、図３のメインフォームから「新規に会員登録する」ボタンをクリックし、サブフォームである図４の新規会員登録フォームを開いて入力することで行う。氏名欄は本名である必要はなく、ニックネームでもよい。ユーザーＩＤにはメールアドレスを用いるため、メールアドレスに関してはサーバー側で２重登録防止のチェックを実施している。参加地域および希望分野については、この時点で登録しておくことで、集会参加時にデフォルトで表示がされる。また、システムから上記メールアドレスに対して、最新の集会情報やシステムに関する情報をメールニュースとして配信しているため、その要不要をオプションボタンによって選択できる。また、会議室の提供や集会の開催時の料金徴収が必要であれば、銀行口座情報の入力も可能である。この情報を入力しておくことで、集会管理代行機関が集金と振込を代行してくれる。【００３１】  貸し会議室を登録するためには、貸し会議室機関は、まず、図３のメインフォームから「新規に会議室提供機関を登録する」ボタンをクリックし、サブフォームである図５の会社新規登録フォームを開き、提供機関の登録を行う。ここでは、会社名、代表者名、住所、担当者名、電話番号、ＦＡＸ番号、メールアドレスおよび住所を入力する。ここで、メールアドレスが未登録である場合は、担当者が会員として未登録と判断し、会員登録を促すメッセージを発して終了する。会員登録がなされていた場合は、その後、同じく、図３のメインフォームから「新規に会議室を登録する」ボタンをクリックし、サブフォームである図６の会議室新規登録フォームを開いて会議室の登録を行う。【００３２】  貸し会議室機関は、図６の会議室新規登録フォームから、会議室名、会社名、ビル名、フロア名を登録する。重複登録防止のためのチェックは、会議室名、会社名、ビル名で行っている。また、防音室、体育室、料理教室、茶室など、その部屋の���殊性を表すために分類欄を設け、ドロップダウンリストボックスから選択できる。備品についても、ホワイトボード、プロジェクター、ピアノなどを選択して登録できる。会議室の定員は、スクール形式と会議室形式の双方で登録する。面積は直接入力、間取り図と写真は画像ファイルを添付する。料金は１時間当たりの料金を入力するが、オプションで、日付、曜日と時間帯で料金を変えることもできる。【００３３】  集会を登録するには、集会開催者は、まず会議室の予約を図３のメインフォームから「空き会議室を探す」ボタンをクリックし、サブフォームである図７の会議室検索フォームを開いて空き会議室の検索を行う。会議室の検索は、地域、日時、定員、料金、目的から行う。また、直接会議室名を選択して予約状況を確認することもできる。検索結果は、図８のようにリスト表示されるので、ここから、特定の会議室を選択し、図８の表の最も右列の「詳細」ボタンをクリックして、会議室情報表示フォーム図９を開き、ここから予約を行う。会議室の選択にあたっては、このフォームに記された過去の会議室使用者の評価結果を参考にすることもできる。【００３４】  会議室の予約をホームページ上で行うと、前記サーバーから集会開催者に予約確認メールが自動送信される。メールには、日時、会議室名、料金、場所の詳細などのデータと共に、今回の会議室借用に対して一意のキーワードが記載されており、後日、会議室の感想などをフィードバックする際に、これを入力することになる。同時に予約受付メールが貸し会議室機関にも自動送信される。ここにも日時、会議室名、料金、場所、借主の詳細などのデータと共に、今回の会議室貸出に対して一意のキーワードが記載されており、後日、貸し会議室機関が会議室利用者に対する感想などをフィードバックする際に、これを入力することになる。【００３５】  その後、図３のメインフォームに戻り、「新規に集会を登録する」ボタンをクリックし、サブフォームである図１０の新規集会登録フォームを開いて集会の登録を行う。ここでは、集会名、集会の代表者名、講師名、日時、会議室名、定員、参加費、分野、集会の目的、概要、さらに、内容とアンケートはファイルで添付する。アンケートは、主催者が事前に参加予定者に対して回答を求めるものであり、参加希望者が参加予約を完了したときに、システムから自動的にメールで参加希望者に配信される。また、受講候補者は、主催者側がこの集会への参加を求めるメンバーであり、複数のメンバーを登録することができる。なお、複数のメンバーのアドレスをグループアドレスとして事前に登録しておくことで、複数登録における抜け、漏れを防ぎ、登録の手間を省くこともできる。このアドレスに登録すると、集会登録の直後に、対象のアドレスに対して受講を促すメールが配信される。一方、この集会をホームページ上に公開するかしないかはオプションボタンで選択できる。特定のメンバーを対象にした集会であれば、公開しないとしておくことで、受講候補者以外のメンバーの参加を拒否できることになる。【００３６】  集会に参加するには、参加希望者は、まず登録されている集会を図３のメインフォームから「参加する集会を探す」ボタンをクリックし、サブフォームで��る図１１の集会検索方法選択フォームを開いて検索方法の選択を行う。検索方法としては、開催日、地域、内容、主催者、講師、題名でさがす方法のほかに、集会管理代行機関に対して電子メールで問い合わせる方法、電話で問い合わせる方法およびＦＡＸで問い合わせる方法、並びに、質問に回答することで、自分に適した集会を選び出す方法が選択できる。この質問と結果に至る流れの一例を図１２に、回答入力のためのサブフォームを図１３に示す。【００３７】  開催日、地域、内容、主催者、講師、題名で検索する場合は、図１１のサブフォームにおいて「開催日、地域、内容、主催者、講師、題名でさがす」ボタンをクリックすることで、サブフォームである「集会検索フォーム」（図１４）が開く。ここに必要事項を入力することにより、対象となる集会が検索できる。検索キーとしては、日付、地域、分野、集会開催者、講師名、集会名称と共に、フリーキーワードも使用できる。検索結果は、図１５のようにリスト表示されるので、ここから、特定の集会を選択し、図１５の表の最も右列の「詳細」ボタンをクリックして、図１６の集会開催案内フォームの「この集会への参加を申し込む」ボタンをクリックして申し込みを行う。【００３８】  集会への申し込みを完了すると、前記サーバーから集会参加者宛てに予約確認メールが自動送信される。メールには、日時、集会名、会議室名、料金、場所の詳細などのデータと共に、今回の集会予約に対して一意のキーワードが記載されており、後日、集会の感想などを集会開催者にフィードバックする際に、これを入力することになる。【００３９】  集会開催案内フォームには、申し込みの判断の参考のために開催予定の集会に対する現時点での参加予定者数も表示される。また、「過去の履歴を表示する」ボタンをクリックすると、図１７の集会履歴表示フォームが開き、過去の実施履歴と、参加者の評価結果が各参加者の評価点数の平均値として表示される。【００４０】  より詳しい情報は詳細欄の「表示」ボタンをクリックすることで確認することができる。これらの情報をもとに、その集会への参加を決定することになるが、現在開催予定がない場合は、集会履歴表示フォームで、「開催を希望する」ボタンをクリックすると、集会開催者と講師にメールが送信され、開催を促すことができる。このフォームでは、開催希望者数も表示されるので、集会開催者は、新たな開催について合理的な判断ができると共に、参加希望者は、その隼会の評価を知ることができる。
【図面の簡単な説明】
【図１】この発明の一実施形態であるシステムの全体構成を示すブロック図である。
【図２】システムのメインフォームおよびサブフォームの関係を示す図である。
【図３】集会管理代行機関が設置した図１のサーバー５上に開設したホームページのメインフォームを示す図である。
【図４】上記ホームページの新規会員登録フォームを示す図である。
【図５】上記ホームページの貸し会議室機関登録フォームを示す図である。
【図６】上記ホームページの会議室新規登録フォームを示す図である。
【図７】上記ホームページの会議室検索フォームを示す図である。
【図８】上記ホームページの会議室検索結果一覧を示す図である。
【図９】上記ホームページの会議室情報表示フォームを示す図である。
【図１０】上記ホームページの新規集会登録フォームを示す図である。
【図１１】上記ホームページの集会検索方法選択フォームを示す図である。
【図１２】上記ホームページの集会検索のための質問の流れの例を示す図である。
【図１３】上記ホームページの希望分野検索フォームを示す図である。
【図１４】上記ホームページの集会検索フォームを示す図である。
【図１５】上記ホームページの集会検索結果一覧を示す図である。
【図１６】上記ホームページの集会開催案内フォームを示す図である。
【図１７】上記ホームページの集会履歴表示フォームを示す図である。
【符号の説明】１ａ  貸し会議室機関のパソコン端末装置
１ｂ  貸し会議室機関の携帯端末装置
２ａ  集会開催者のパソコン端末装置
２ｂ  集会開催者の携帯端末装置
３ａ  参加希望者のパソコン端末装置
３ｂ  参加希望者の携帯端末装置
４  インターネット
５  サーバー
６  会議室情報を保存したデータベース部
７  集会情報を保存したデータベース部
８  参加者情報を保存したデータベース部
９  クレジット決済システム
【図１】
2011008747.tif 000003
【図２】
2011008747.tif 000004
【図３】
2011008747.tif 000005
【図４】
2011008747.tif 000006
【図５】
2011008747.tif 000007
【図６】
2011008747.tif 000008
【図７】
2011008747.tif 000009
【図８】
2011008747.tif 000010
【図９】
2011008747.tif 000011
【図１０】
2011008747.tif 000012
【図１１】
2011008747.tif 000013
【図１２】
2011008747.tif 000014
【図１３】
2011008747.tif 000015
【図１４】
2011008747.tif 000016
【図１５】
2011008747.tif 000017
【図１６】
2011008747.tif 000018
【図１７】
2011008747.tif 000019